(57)【特許請求の範囲】
【請求項１】
左チャンネル入力信号と右チャンネル入力信号とを含むステレオ信号が入力され、当該ステレオ信号をステレオ再生するフレキシブルステレオスピーカにおいて、
前記左チャンネル入力信号を所定の周波数間隔で抽出して左チャンネル駆動信号を生成する左チャンネル櫛型フィルタと、
前記左チャンネル櫛型フィルタと同じ周波数間隔で逆の振幅特性を有し、前記右チャンネル入力信号を所定の周波数間隔で抽出して右チャンネル駆動信号を生成する右チャンネル櫛型フィルタと、
電場に応じて振動する電場駆動型高分子からなる平板状の振動板と、
前記振動板の両面に互いに対向するように形成され、前記左チャンネル櫛型フィルタが生成した左チャンネル駆動信号に基づいて、前記電場を発生させて前記振動板を振動させる１対の左チャンネル電極と、
前記振動板の両面に互いに対向するように、前記左チャンネル電極と同じ形状で当該左チャンネル電極に隣り合う位置に形成され、前記右チャンネル櫛型フィルタが生成した右チャンネル駆動信号に基づいて、前記電場を発生させて前記振動板を振動させる１対の右チャンネル電極と、
前記振動板の片面の側の前記左チャンネル電極と前記右チャンネル電極とに密着し、前記振動板を保持し又は前記振動板の振動を加振する基板と、
を備えるフレキシブルステレオスピーカ。
【請求項２】
前記振動板は、上面に位置する左チャンネル電極と右チャンネル電極との間となる中央部分が最も厚く形成され、前記上面に位置する左チャンネル電極の左右両辺の中間位置で最も薄くなるように凹部が形成され、前記上面に位置する右チャンネル電極の左右両辺の中間位置で最も薄くなるように凹部が形成されたことを特徴とする請求項１に記載のフレキシブルステレオスピーカ。
【請求項３】
左チャンネル入力信号と右チャンネル入力信号とを含むステレオ信号が入力され、当該ステレオ信号をステレオ再生するフレキシブルステレオスピーカにおいて、
前記左チャンネル入力信号から、予め設定された伝達係数を乗じて逆相とした前記右チャンネル入力信号を減算して左チャンネル駆動信号を、生成する左チャンネル駆動信号生成手段と、
前記右チャンネル入力信号から、前記伝達係数を乗じて逆相とした左チャンネル入力信号を減算して右チャンネル駆動信号を、生成する右チャンネル駆動信号生成手段と、
電場に応じて振動する電場駆動型高分子からなる平板状の振動板と、
前記振動板の両面に互いに対向するように形成され、前記左チャンネル駆動信号生成手段が生成した左チャンネル駆動信号に基づいて、前記電場を発生させて前記振動板を振動させる１対の左チャンネル電極と、
前記振動板の両面に互いに対向するように、前記左チャンネル電極と同じ形状で当該左チャンネル電極に隣り合う位置に形成され、前記右チャンネル駆動信号生成手段が生成した右チャンネル駆動信号に基づいて、前記電場を発生させて前記振動板を振動させる１対の右チャンネル電極と、
前記振動板の片面の側の前記左チャンネル電極と前記右チャンネル電極とに密着し、前記振動板を保持し又は前記振動板の振動を加振する基板と、
を備えるフレキシブルステレオスピーカ。
【請求項４】
前記振動板は、上面に位置する左チャンネル電極と右チャンネル電極との間となる中央部分が最も厚く形成され、前記上面に位置する左チャンネル電極の左右両辺の中間位置で最も薄くなるように凹部が形成され、前記上面に位置する右チャンネル電極の左右両辺の中間位置で最も薄くなるように凹部が形成されたことを特徴とする請求項３に記載のフレキシブルステレオスピーカ。
【発明の詳細な説明】
【技術分野】
【０００１】
本発明は、入力されたステレオ信号をステレオ再生するフレキシブルステレオスピーカに関する。
【背景技術】
【０００２】
従来から、平板状のパネルスピーカが知られている（例えば、特許文献１参照）。特許文献１に記載されたパネルスピーカは、１枚の振動板の右側に右チャンネル用の駆動部（電極）を設け、左側に左チャンネル用の駆動部（電極）を設ける。そして、特許文献１に記載されたパネルスピーカは、左右両端の駆動部（電極）がそれぞれステレオ信号の左チャンネルと右チャンネルとに基づいて駆動することで、ステレオ信号をステレオ再生するものである。
【０００３】
また、近年、平板状のフレキシブルスピーカが注目されている。フレキシブルスピーカは、薄く、かつ、軽いので、持ち運びに便利であり、柔軟なので、その設置も自由度が高い。例えば、フレキシブルスピーカは、室内の壁又はディスプレイに貼り付ける等、従来のスピーカでは難しかった場所に設置でき、スペース効率に優れる。ここで、フレキシブルスピーカは、基本的に、１枚の振動板が振動して音を発生させる仕組みであるため、ステレオ信号に対応しておらず、モノラル信号を入力し、これをモノラル再生することが一般的である。
【特許文献１】特開２００４−３４３４８１号公報
【発明の開示】
【発明が解決しようとする課題】
【０００４】
しかし、現在、流通している音響コンテンツ（例えば、音楽番組、音楽ＣＤ）は、左チャンネル入力信号と右チャンネル入力信号とを含む２チャンネルのステレオ信号（ステレオフォーマット）が主流となっている。前記したように、フレキシブルスピーカは、ステレオ信号に対応していないため、主流となっている音響コンテンツを、ステレオ感を損なうことなくステレオ再生できないという問題があった。また、フレキシブルスピーカの実用化が進むにつれ、ステレオ感を損なう事なく、ステレオ信号をステレオ再生したいとの強い要望がある。
【０００５】
また、特許文献１に記載されたパネルスピーカを初めとして、振動板の左右両端に駆動部を設ける構成では、左チャンネル入力信号による振動波と右チャンネル入力信号による振動波とが混合されてしまう等、左チャンネルと右チャンネルとの間で相関が発生し、ステレオ感が損なわれてしまう問題があった。
【０００６】
そこで、本発明は、ステレオ感が損なわれにくく、ステレオ信号をステレオ再生できるフレキシブルステレオスピーカを提供することを目的とする。
【課題を解決するための手段】
【０００７】
前記した課題を解決するため、請求項１に係るフレキシブルステレオスピーカは、左チャンネル入力信号と右チャンネル入力信号とを含むステレオ信号が入力され、ステレオ信号をステレオ再生するフレキシブルステレオスピーカにおいて、左チャンネル櫛型フィルタと、左チャンネル櫛型フィルタと同じ周波数間隔で逆の振幅特性を有する右チャンネル櫛型フィルタと、電場に応じて振動する電場駆動型高分子からなる平板状の振動板と、振動板の両面に互いに対向するように形成された１対の左チャンネル電極と、振動板の両面に互いに対向するように、左チャンネル電極と同じ形状で左チャンネル電極に隣り合う位置に形成された１対の右チャンネル電極と、振動板の片面の側の左チャンネル電極と右チャンネル電極とに密着する基板と、を備える構成とした。
【０００８】
かかる構成において、フレキシブルステレオスピーカは、左チャンネル櫛型フィルタによって、左チャンネル入力信号を所定の周波数間隔で抽出して左チャンネル駆動信号を生成する。ここで、左チャンネル櫛型フィルタは、人間の聴覚では、元の左チャンネル入力信号との差を殆ど感じないように、左チャンネル入力信号を細かな周波数間隔で抽出して左チャンネル駆動信号を生成する。
【０００９】
また、フレキシブルステレオスピーカは、右チャンネル櫛型フィルタによって、右チャンネル入力信号を所定の周波数間隔で抽出して右チャンネル駆動信号を生成する。ここで、右チャンネル櫛型フィルタは、人間の聴覚では、元の右チャンネル入力信号との差を殆ど感じないように、右チャンネル入力信号を細かな周波数間隔で抽出して右チャンネル駆動信号を生成する。さらに、右チャンネル櫛型フィルタは、左チャンネル櫛型フィルタと逆の振幅特性を有するので、左チャンネル駆動信号との間で相関が少ない右チャンネル駆動信号を生成する。
【００１０】
また、フレキシブルステレオスピーカは、左チャンネル電極によって、左チャンネル櫛型フィルタが生成した左チャンネル駆動信号に基づいて、電場を発生させて振動板を振動させる。そして、フレキシブルステレオスピーカは、右チャンネル電極によって、右チャンネル櫛型フィルタが生成した右チャンネル駆動信号に基づいて、電場を発生させて振動板を振動させる。さらに、フレキシブルステレオスピーカは、基板によって、振動板を保持し又は振動板の振動を加振する。これによって、フレキシブルステレオスピーカは、互いに相関が少なく、かつ、人間の聴覚では、元のステレオ信号との差が殆ど感じない左チャンネル駆動信号と右チャンネル駆動信号とに基づいて、ステレオ再生を行うことができる。
さらに、請求項１に係るフレキシブルステレオスピーカにおいて、振動板は、上面に位置する左チャンネル電極と右チャンネル電極との間となる中央部分が最も厚く形成され、上面に位置する左チャンネル電極の左右両辺の中間位置で最も薄くなるように凹部が形成され、上面に位置する右チャンネル電極の左右両辺の中間位置で最も薄くなるように凹部が形成されることが好ましい（請求項２）。
【００１１】
また、前記した課題を解決するため、請求項３に係るフレキシブルステレオスピーカは、左チャンネル入力信号と右チャンネル入力信号とを含むステレオ信号が入力され、ステレオ信号をステレオ再生するフレキシブルステレオスピーカにおいて、左チャンネル駆動信号生成手段と、右チャンネル駆動信号生成手段と、電場に応じて振動する電場駆動型高分子からなる平板状の振動板と、振動板の両面に互いに対向するように、左チャンネル電極と同じ形状で左チャンネル電極に隣り合う位置に形成された１対の左チャンネル電極と、振動板の両面に互いに対向するように形成された１対の右チャンネル電極と、振動板の片面の側の左チャンネル電極と右チャンネル電極とに密着する基板と、を備える構成とした。
【００１２】
かかる構成において、フレキシブルステレオスピーカは、左チャンネル駆動信号生成手段によって、左チャンネル入力信号から、予め設定された伝達係数を乗じて逆相とした右チャンネル入力信号を減算して左チャンネル駆動信号を、生成する。また、フレキシブルステレオスピーカは、右チャンネル駆動信号生成手段によって、右チャンネル入力信号から、伝達係数を乗じて逆相とした左チャンネル入力信号を減算して右チャンネル駆動信号を、生成する。このように伝達係数を用いることで、フレキシブルステレオスピーカは、互いに相関が少ない左チャンネル駆動信号と右チャンネル駆動信号とを生成する。
【００１３】
また、フレキシブルステレオスピーカは、左チャンネル電極によって、左チャンネル駆動信号生成手段が生成した左チャンネル駆動信号に基づいて、電場を発生させて振動板を振動させる。そして、フレキシブルステレオスピーカは、右チャンネル電極によって、右チャンネル駆動信号生成手段が生成した右チャンネル駆動信号に基づいて、電場を発生させて振動板を振動させる。さらに、フレキシブルステレオスピーカは、基板によって、振動板を保持し又は振動板の振動を加振する。これによって、フレキシブルステレオスピーカは、互いに相関が少ない左チャンネル駆動信号と右チャンネル駆動信号に基づいて、ステレオ再生を行うことができる。
さらに、請求項３に係るフレキシブルステレオスピーカにおいて、振動板は、上面に位置する左チャンネル電極と右チャンネル電極との間となる中央部分が最も厚く形成され、上面に位置する左チャンネル電極の左右両辺の中間位置で最も薄くなるように凹部が形成され、上面に位置する右チャンネル電極の左右両辺の中間位置で最も薄くなるように凹部が形成されることが好ましい（請求項４）。
【発明の効果】
【００２３】
本発明に係るフレキシブルステレオスピーカによれば、以下のような優れた効果を奏する。
請求項１に係る発明によれば、互いに相関が少ない左チャンネル駆動信号と右チャンネル駆動信号に基づいて、ステレオ再生を行うため、左右チャンネル間の信号音の分離が明瞭となり、ステレオ感が損なわれにくくなる。
【００２４】
請求項３に係る発明によれば、左チャンネル駆動信号による振動波の右チャンネルへの干渉と、右チャンネル駆動信号による振動波の左チャンネルへの干渉を低減させ、ステレオ感が損なわれにくくなる。
【発明を実施するための最良の形態】
【００２７】
以下、本発明の実施形態について、適宜図面を参照しながら詳細に説明する。なお、各実施形態において、同一の手段及び同一の部材には同一の符号を付し、説明を省略した。
【００２８】
（第１実施形態）
［フレキシブルステレオスピーカの構成］
図１，２を参照して、本発明の第１実施形態に係るフレキシブルステレオスピーカの構成について説明する。図１は、本発明の第１実施形態に係るフレキシブルステレオスピーカの概略構成図である。また、図２は、図１のフレキシブルステレオスピーカの側面図である。
【００２９】
なお、図１では、振動板１１の下面に形成された左チャンネル電極１２ｂ（１２）と、右チャンネル電極１３ｂ（１３）とを、図示していない。また、図１では、入力されたステレオ信号に含まれる左チャンネル入力信号をＬｃｈとし、ステレオ信号の右チャンネル入力信号をＲｃｈとして図示した。また、図２では、制御手段２０と導線１５とを省略した。
【００３０】
フレキシブルステレオスピーカ１は、左チャンネル入力信号と右チャンネル入力信号とを含むステレオ信号が入力され、ステレオ信号をステレオ再生するものである。図１のフレキシブルステレオスピーカ１は、振動板１１と、左チャンネル電極１２ａ（１２）と、右チャンネル電極１３ａ（１３）と、基板１４と、４本の導線１５ａ〜１５ｄ（１５）と、制御手段２０と、を備える。
【００３１】
振動板１１は、電場に応じて振動する、つまり、圧電効果を有する電場駆動型高分子からなる平板状のものである。例えば、振動板１１は、ポリフッ化ビニリデン（ＰＶＤＦ）、又は、アクリルエラストマー、シリコンエラストマー若しくはウレタンエラストマー等に電極を形成した電場駆動型エラストマーで形成することができる。また、振動板１１をポリフッ化ビニリデンとした場合、図２に示すように、振動板１１の厚さは、例えば、８０μｍである。
【００３２】
左チャンネル電極１２は、振動板１１の両面に互いに対向するように形成され、後記する左チャンネル櫛型フィルタ２１が生成した左チャンネル駆動信号に基づいて、左チャンネル電極１２ａと左チャンネル電極１２ｂとの間で電場を発生させて振動板１１を振動させるものである。以下、左チャンネル電極１２ａ，１２ｂを区別しないで説明する場合、単に左チャンネル電極１２と記す。
【００３３】
ここで、左チャンネル電極１２は、例えば、酸化インジウムスズ（ＩＴＯ）、アルミニウム等を素材とする電極を、スパッタ法で振動板１１の略左半分に形成する。ここで、図１に示すように、左チャンネル電極１２の形状を角丸四角形としたが、この形状は特に制限されず、正方形、長方形、円形又は楕円形としても良い。
【００３４】
図２に示すように、左チャンネル電極１２ａは、振動板１１の上面１１ａに形成する。また、左チャンネル電極１２ｂは、振動板１１の下面１１ｂに、左チャンネル電極１２ａと対向するように形成する。そして、左チャンネル電極１２ａは、導線１５ａを介して、左チャンネル櫛型フィルタ２１と接続し、左チャンネル電極１２ｂは、導線１５ｂを介して、左チャンネル櫛型フィルタ２１と接続する。
【００３５】
右チャンネル電極１３は、振動板１１の両面に互いに対向するように、かつ、左チャンネル電極１２に隣り合う位置に形成され、後記する右チャンネル櫛型フィルタ２２が生成した右チャンネル駆動信号に基づいて、右チャンネル電極１３ａと右チャンネル電極１３ｂとの間で電場を発生させて振動板１１を振動させるものである。以下、右チャンネル電極１３ａ，１３ｂを区別しないで説明する場合、単に右チャンネル電極１３と記す。
【００３６】
また、右チャンネル電極１３は、例えば、左チャンネル電極１２と同様の形状及び素材にて、振動板１１の略右半分に形成する。ここで、図２に示すように、右チャンネル電極１３ａは、振動板１１の上面１１ａに形成する。また、右チャンネル電極１３ｂは、振動板１１の下面１１ｂに、右チャンネル電極１３ａと対向するように形成する。そして、右チャンネル電極１３ａは、導線１５ｃを介して、右チャンネル櫛型フィルタ２２と接続し、右チャンネル電極１３ｂは、導線１５ｄを介して、右チャンネル櫛型フィルタ２２と接続する。なお、ステレオ感を損ないにくくしつつ振動板１１の面積を確保するため、左チャンネル電極１２と右チャンネル電極１３との間隔は、例えば、５ｍｍ以上２０ｍｍ以下とすることが好ましい。
【００３７】
基板１４は、フレキシブルステレオスピーカ１の強度を保つため、又は、振動板１１によって加振されるダイアフラムであり、例えば、ポリエーテルスルホン（ＰＥＳ）、ポリカーボネート又はポリエチレンテレフタレート（ＰＥＴ）のフィルムである。図２に示すように、基板１４は、振動板１１の片面（ここでは、振動板１１の下面１１ｂ）の側の左チャンネル電極１２ｂと右チャンネル電極１３ｂとに、例えば、接着剤又は両面テープで貼り合わせる。また、基板１４をポリエーテルスルホンとした場合、基板１４の厚さは、例えば、２００μｍである。
【００３８】
導線１５ａ，１５ｂは、左チャンネル櫛型フィルタ２１が生成した左チャンネル駆動信号を左チャンネル電極１２に伝える。また、導線１５ｃ，１５ｄは、右チャンネル櫛型フィルタ２２が生成した右チャンネル駆動信号を右チャンネル電極１３に伝える。以下、導線１５ａ〜１５ｄを区別しないで説明する場合、単に導線１５と記す。例えば、導線１５としては、銅線又はアルミニウム線等の金属線を用いることができる。
【００３９】
制御手段２０は、左チャンネル入力信号と右チャンネル入力信号とを含むステレオ信号が入力されるものであり、図１に示すように、左チャンネル櫛型フィルタ２１と、右チャンネル櫛型フィルタ２２と、を備える。ここでは、左チャンネル入力信号と右チャンネル入力信号とが別々に入力される例を示したが、制御手段２０は、入力されたステレオ信号から左チャンネル入力信号と右チャンネル入力信号とを分離する分離回路を備えても良い（不図示）。さらに、制御手段２０は、左チャンネル駆動信号と右チャンネル駆動信号とを増幅する増幅回路を備えても良い（不図示）。
【００４０】
なお、図２では、１枚の振動板１１に左チャンネル電極１２と右チャンネル電極１３とを設ける構成としたが、振動板１１は、１枚に限定されない。例えば、左チャンネル電極１２及び右チャンネル電極１３よりやや広い面積の振動板１１を２枚準備し、一方の振動板１１の両面に左チャンネル電極１２を形成し、他方の振動板１１の両面に右チャンネル電極１３を形成する（不図示）。そして、この２枚の振動板１１を基板１４に貼り合わせる。
【００４１】
以下、図３を参照して、図１の左チャンネル櫛型フィルタ及び右チャンネル櫛型フィルタについて説明する（適宜図１参照）。図３は、図１の左チャンネル櫛型フィルタ及び右チャンネル櫛型フィルタの特性を示すグラフであり、（ａ）は、左チャンネル櫛型フィルタの特性を示すグラフであり、（ｂ）は、右チャンネル櫛型フィルタの特性を示すグラフである。
【００４２】
左チャンネル櫛型フィルタ２１は、入力されたステレオ信号に含まれる左チャンネル入力信号を所定の周波数間隔（例えば、１／３０オクターヴバンド間隔）で抽出して左チャンネル駆動信号を、生成するものである。図３（ａ）に示すように、左チャンネル櫛型フィルタ２１は、左チャンネル入力信号を所定の周波数間隔で、例えば、基準値を−２０ｄＢとし、増幅する帯域が最大０ｄＢとなり、抑制する帯域が最小−４０ｄＢとなるような信号処理を行う。このようにして、左チャンネル櫛型フィルタ２１は、人間の聴覚では、入力されたステレオ信号に含まれる左チャンネル入力信号との差を殆ど感じない左チャンネル駆動信号を生成する。
【００４３】
例えば、左チャンネル入力信号をｌ（ｔ）、左チャンネル櫛型フィルタ２１の特性をＨ（ｚ）、及び、左チャンネル駆動信号をＬ（ｔ）とした場合、左チャンネル櫛型フィルタ２１は、下記式（１）を用いて、左チャンネル駆動信号を生成する。
Ｌ（ｔ）＝ｌ（ｔ）×Ｈ（ｚ）・・・式（１）
【００４４】
また、左チャンネル櫛型フィルタ２１は、生成した左チャンネル駆動信号を左チャンネル電極１２に出力する。そして、この左チャンネル駆動信号に基づいて、左チャンネル電極１２ａと左チャンネル電極１２ｂとの間で電場が発生し、この電場によって振動板１１が振動して左チャンネル駆動信号に応じた音が発生する。
【００４５】
右チャンネル櫛型フィルタ２２は、左チャンネル櫛型フィルタ２１と逆の振幅特性を有し、入力されたステレオ信号に含まれる右チャンネル入力信号を所定の周波数間隔で抽出して右チャンネル駆動信号を、生成するものである。ここで、図３（ｂ）に示すように、右チャンネル櫛型フィルタ２２は、左チャンネル櫛型フィルタ２１と同じ周波数間隔で、左チャンネル櫛型フィルタ２１と逆の振幅特性を有する。つまり、図３（ａ）の左チャンネル櫛型フィルタ２１の振幅が山となるときは、図３（ｂ）の右チャンネル櫛型フィルタ２２の振幅が谷となり、図３（ａ）の左チャンネル櫛型フィルタ２１の振幅が谷となるときは、図３（ｂ）の右チャンネル櫛型フィルタ２２の振幅が山となる。
【００４６】
また、図３（ｂ）に示すように、右チャンネル櫛型フィルタ２２は、左チャンネル駆動信号と相関が少ない部分、具体的には、右チャンネル入力信号を所定の周波数間隔で、例えば、基準値を−２０ｄＢとし、増幅する帯域が最大０ｄＢとなり、抑制する帯域が最小−４０ｄＢとなるような信号処理を行う。このようにして、右チャンネル櫛型フィルタ２２、左チャンネル駆動信号と相関が少なく、人間の聴覚では、入力されたステレオ信号に含まれる右チャンネル入力信号との差を殆ど感じない右チャンネル駆動信号を生成する。
【００４７】
例えば、右チャンネル入力信号をｒ（ｔ）、右チャンネル櫛型フィルタ２２の特性をＧ（ｚ）、及び、右チャンネル駆動信号をＲ（ｔ）とした場合、右チャンネル櫛型フィルタ２２は、下記式（２）を用いて、右チャンネル駆動信号を生成する。なお、Ｇ（ｚ）は、前記したＨ（ｚ）と逆の振幅特性を示す。
Ｒ（ｔ）＝ｒ（ｔ）×Ｇ（ｚ）・・・式（２）
【００４８】
また、右チャンネル櫛型フィルタ２２は、生成した右チャンネル駆動信号を右チャンネル電極１３に出力する。そして、この右チャンネル駆動信号に基づいて、右チャンネル電極１３ａと右チャンネル電極１３ｂとの間で電場が発生し、この電場によって振動板１１が振動して右チャンネル駆動信号に応じた音が発生する。
【００４９】
以上のように、フレキシブルステレオスピーカ１は、２個のスピーカで構成される一般的なステレオスピーカでは必要性が低い櫛型フィルタを用いるため、左右チャンネル間の信号音の分離が明瞭となり、ステレオ感が損なわれにくくなる。
【００５０】
（第２実施形態）
［フレキシブルステレオスピーカの構成］
図４を参照して、本発明の第２実施形態に係るフレキシブルステレオスピーカの構成について説明する。図４は、本発明の第２実施形態に係るフレキシブルステレオスピーカの概略構成図である。
【００５１】
なお、図４では、振動板１１の下面に形成された左チャンネル電極１２ｂ（１２）と、右チャンネル電極１３ｂ（１３）とを、図示していない。また、図４では、入力されたステレオ信号に含まれる左チャンネル入力信号をＬｃｈとし、ステレオ信号の右チャンネル入力信号をＲｃｈとして図示した。
【００５２】
図４のフレキシブルステレオスピーカ１Ｂは、振動板１１と、１対の左チャンネル電極１２ａ（１２）と、１対の右チャンネル電極１３ａ（１３）と、基板１４と、４本の導線１５ａ〜１５ｄ（１５）と、制御手段３０と、を備える。
【００５３】
ここで、フレキシブルステレオスピーカ１Ｂは、振動板１１、左チャンネル電極１２、右チャンネル電極１３、基板１４及び導線１５が、図１のフレキシブルステレオスピーカ１と同様のものであるため、これらの説明を省略する。
【００５４】
制御手段３０は、左チャンネル入力信号と右チャンネル入力信号とを含むステレオ信号が入力されるものであり、図４に示すように、左チャンネル駆動信号生成手段３１と、右チャンネル駆動信号生成手段３２と、を備える。
【００５５】
左チャンネル駆動信号生成手段３１は、入力されたステレオ信号に含まれる左チャンネル入力信号から、予め設定された伝達係数を乗じて逆相とした右チャンネル入力信号を減算して左チャンネル駆動信号を、生成するものである。
【００５６】
ここで、例えば、伝達係数をα（例えば、振幅０．５倍、時間遅れ０．０００１秒）、左チャンネル入力信号をｌ（ｔ）、左チャンネル駆動信号をＬ（ｔ）、及び、右チャンネル入力信号をｒ（ｔ）とした場合、左チャンネル駆動信号生成手段３１は、下記式（３）を用いて、左チャンネル駆動信号を生成する。
Ｌ（ｔ）＝ｌ（ｔ）−α・ｒ（ｔ）・・・式（３）
但し、式（３）において、０＜α＜１を満たす。
【００５７】
また、左チャンネル駆動信号生成手段３１は、生成した左チャンネル駆動信号を左チャンネル電極１２に出力する。そして、この左チャンネル駆動信号に基づいて、左チャンネル電極１２ａと左チャンネル電極１２ｂとの間で電場が発生し、この電場によって振動板１１が振動して左チャンネル駆動信号に応じた音が発生する。
【００５８】
右チャンネル駆動信号生成手段３２は、入力されたステレオ信号に含まれる右チャンネル入力信号から、伝達係数を乗じて逆相とした左チャンネル入力信号を減算して右チャンネル駆動信号を、生成するものである。
【００５９】
ここで、伝達係数をα、左チャンネル入力信号をｌ（ｔ）、右チャンネル入力信号をｒ（ｔ）、及び、右チャンネル駆動信号をＲ（ｔ）とした場合、右チャンネル駆動信号生成手段３２は、下記式（４）を用いて、右チャンネル駆動信号を生成する。
Ｒ（ｔ）＝ｒ（ｔ）−α・ｌ（ｔ）・・・式（４）
但し、式（４）において、０＜α＜１を満たす。
【００６０】
また、右チャンネル駆動信号生成手段３２は、生成した右チャンネル駆動信号を右チャンネル電極１３に出力する。そして、この右チャンネル駆動信号に基づいて、右チャンネル電極１３ａと右チャンネル電極１３ｂとの間で電場が発生し、この電場によって振動板１１が振動して右チャンネル駆動信号に応じた音が発生する。
【００６１】
以上のように、フレキシブルステレオスピーカ１Ｂは、入力されたステレオ信号に伝達係数を乗じることによって、左チャンネル駆動信号による振動波の右チャンネルへの干渉と、右チャンネル駆動信号による振動波の左チャンネルへの干渉を低減させ、ステレオ感が損なわれにくくなる。
【００６２】
（第３実施形態）
［フレキシブルステレオスピーカの構成］
図５，６を参照して、本発明の第３実施形態に係るフレキシブルステレオスピーカの構成について説明する。図５は、本発明の第３実施形態に係るフレキシブルステレオスピーカの概略構成図である。また、図６は、図５のフレキシブルステレオスピーカの側面図である。
【００６３】
なお、図５には、振動板１１の下面１１ｂに形成された左チャンネル電極１２ｂと、右チャンネル電極１３ｂと、低音チャンネル電極１６ｂとを、図示していない。また、図５では、入力されたステレオ信号に含まれる左チャンネル入力信号をＬｃｈとし、ステレオ信号の右チャンネル入力信号をＲｃｈとして図示した。また、図６では、制御手段４０と導線１５とを省略した。
【００６４】
図５に示すように、フレキシブルステレオスピーカ１Ｃは、振動板１１と、１対の左チャンネル電極１２ａ（１２）と、１対の右チャンネル電極１３ａ（１３）と、基板１４と、６本の導線１５ａ〜１５ｆ（１５）と、１対の低音チャンネル電極１６ａ（１６）と、制御手段４０と、を備える。
【００６５】
ここで、フレキシブルステレオスピーカ１Ｃは、振動板１１及び基板１４が、図１のフレキシブルステレオスピーカ１と同様のものであるため、これらの説明を省略する。
【００６６】
左チャンネル電極１２は、例えば、振動板１１の中央部分を空けるように振動板１１の左側に形成する。また、右チャンネル電極１３は、後記する低音チャンネル電極１６に隣り合う位置に形成、例えば、振動板１１の中央部分を空けるように振動板１１の右側に形成する。
【００６７】
低音チャンネル電極１６は、後記するローパスフィルタ４２が生成した低音チャンネル駆動信号に基づいて、低音チャンネル電極１６ａと低音チャンネル電極１６ｂとの間で電場を発生させて振動板１１を振動させるものである。以下、低音チャンネル電極１６ａ，１６ｂを区別しないで説明する場合、単に低音チャンネル電極１６と記す。
【００６８】
また、低音チャンネル電極１６は、振動板１１の両面に互いに対向するように、かつ、左チャンネル電極１２に隣り合う位置、例えば、振動板１１の中央部分に形成する。さらに、低音チャンネル電極１６は、例えば、左チャンネル電極１２と同様の形状及び素材にて形成する。
【００６９】
ここで、図６に示すように、低音チャンネル電極１６ａは、振動板１１の上面１１ａの中央部分、つまり、左チャンネル電極１２ａと右チャンネル電極１３ａとの間に形成する。また、右チャンネル電極１３ｂは、振動板１１の下面１１ｂの中央部分、つまり、左チャンネル電極１２ｂと右チャンネル電極１３ｂとの間に形成する。
【００７０】
ここで、後記する信号加算手段４１は、導線１５ａを介して、左チャンネル電極１２ａと接続し、導線１５ｂを介して、左チャンネル電極１２ｂと接続する。また、信号加算手段４１は、導線１５ｅを介して、右チャンネル電極１３ａと接続し、導線１５ｆを介して、左チャンネル電極１２ｄと接続する。さらに、後記するローパスフィルタ４２は、導線１５ｃを介して、低音チャンネル電極１６ａと接続し、導線１５ｄを介して、低音チャンネル電極１６ｂと接続する。なお、ステレオ感を損ないにくくするため、低音チャンネル電極１６は、左チャンネル電極１２と右チャンネル電極１３との間隔を、例えば、５ｍｍ以上２０ｍｍ以下とすることが好ましい。
【００７１】
制御手段４０は、左チャンネル入力信号と右チャンネル入力信号とを含むステレオ信号が入力されるものであり、図５に示すように、信号加算手段４１と、ローパスフィルタ４２と、を備える。
【００７２】
信号加算手段４１は、入力されたステレオ信号に含まれる左チャンネル入力信号を左チャンネル駆動信号として出力し、入力されたステレオ信号に含まれる右チャンネル入力信号を右チャンネル駆動信号として出力するものである。また、信号加算手段４１は、左チャンネル入力信号と右チャンネル入力信号とを加算してローパスフィルタ４２に出力する。
【００７３】
なお、信号加算手段４１は、入力された左チャンネル入力信号と右チャンネル入力信号とをそのまま出力する構成としたが、図１の左チャンネル櫛型フィルタ２１と右チャンネル櫛型フィルタ２２とを備えても良い（不図示）。この場合、信号加算手段４１は、左チャンネル入力信号と右チャンネル入力信号とを所定の周波数間隔で抽出し、左チャンネル駆動信号と左チャンネル駆動信号とを生成して出力する。
【００７４】
なお、信号加算手段４１は、図４の左チャンネル駆動信号生成手段３１と右チャンネル駆動信号生成手段３２とを備えても良い（不図示）。この場合、信号加算手段４１は、伝達係数を乗じて逆相とした右チャンネル入力信号から低音チャンネル用の信号を除去して出力する第１のハイパスフィルタと、伝達係数を乗じて逆相とした左チャンネル入力信号から低音チャンネル用の信号を除去して出力する第２のハイパスフィルタとを備える（不図示）。そして、信号加算手段４１は、左チャンネル駆動信号生成手段によって、第１のハイパスフィルタが出力した信号を左チャンネル入力信号から減算して左チャンネル駆動信号を生成し、右チャンネル駆動信号生成手段によって、第２のハイパスフィルタが出力した信号を右チャンネル入力信号から減算して右チャンネル駆動信号を生成する。
【００７５】
ローパスフィルタ４２は、信号加算手段４１が加算した左チャンネル入力信号と右チャンネル入力信号との低音領域を抽出して低音チャンネル駆動信号を、生成するものである。ここで、ローパスフィルタ４２は、図７に示すように、左チャンネル入力信号と右チャンネル入力信号とを加算した信号から基準値（例えば、２００Ｈｚ）以下の周波数（低音領域）を抽出し、この基準値を超える周波数をカットして低音チャンネル駆動信号を生成する。
【００７６】
また、ローパスフィルタ４２は、生成した低音チャンネル駆動信号を低音チャンネル電極１６に出力する。そして、この低音チャンネル駆動信号に基づいて、低音チャンネル電極１６ａと低音チャンネル電極１６ｂとの間で電場が発生し、この電場によって振動板１１が振動して低音チャンネル駆動信号に応じた音（低音）が発生する。
【００７７】
以上のように、フレキシブルステレオスピーカ１Ｃは、左チャンネル電極１２と右チャンネル電極１３とを振動板１１の中央部分を空けるように離して形成するため、音の定位に影響を与えやすい高音領域を含む音を、振動板１１の左右の部分でステレオ再生し、ステレオ感が損なわれにくくなる。また、フレキシブルステレオスピーカ１Ｃは、低音チャンネル電極１６を振動板１１の中央部分に形成するため、音の定位への影響が少なく、かつ、ステレオ感の再現が難しい低音領域の音を、振動板の左右の部分に加えて振動板の中央の部分でも再生し、低音感をリスナーに与えることができる。
【００７８】
なお、図６では、１枚の振動板１１に左チャンネル電極１２と低音チャンネル電極１６と右チャンネル電極１３とを設ける構成としたが、振動板１１は、１枚に限定されない。例えば、左チャンネル電極１２、右チャンネル電極１３及び低音チャンネル電極１６よりやや広い面積の振動板１１を３枚準備し、１枚目の振動板１１の両面に左チャンネル電極１２を形成し、２枚目の振動板１１の両面に低音チャンネル電極１６を形成し、３枚目の振動板１１の両面に右チャンネル電極１３を形成する（不図示）。そして、この３枚の振動板１１を基板１４に貼り合わせる。
【００７９】
（変形例）
なお、前記した各実施形態では、振動板１１の厚さが均一なものとして説明したが、これに限定されない。以下、図８を参照して、振動板１１の厚さを不均一にした変形例について説明する。図８は、本発明の第１実施形態に係るフレキシブルステレオスピーカの変形例を示す側面図である。
【００８０】
なお、図８では、制御手段２０と基板１４とを省略し、左チャンネル電極１２ａに接触する導線１５のみを図示した。また、図８では、振動板１１の端部分の厚さをＴ１、振動板１１の中央部分の厚さをＴ２、及び、振動板１１の凹部の厚さをＴ３として図示した。さらに、図８では、Ｔ１及びＴ２を略等しい厚さで図示しているが、Ｔ２はＴ１より厚くなっている。つまり、図８では、Ｔ１、Ｔ２及びＴ３は、下記式（５）を満たす。
Ｔ２＞Ｔ１＞Ｔ３・・・式（５）
【００８１】
図８に示すように、左チャンネル電極１２ａに接触する２本の導線１５の中間位置（Ｔ３の位置）で振動板１１が最も薄くなるように、振動板１１の上面１１ａに凹部を形成する。また、振動板１１は、左チャンネル電極１２ａと右チャンネル電極１３ａとの間となる中央部分（Ｔ２の位置）を厚く形成する。そして、この凹部に左チャンネル電極１２ａを形成し、左チャンネル電極１２ａの左右両辺に２本の導線１５を略並行に線接触させる。ここでは、右チャンネル電極１３ａも、左チャンネル電極１２ａと同様に形成する。このように振動板１１を形成し、第１実施形態と同様の信号処理を行うことで、本発明に係るフレキシブルステレオスピーカは、左チャンネル電極１２の振動波と右チャンネル電極１３の振動波との干渉を低減させることができる。
【００８２】
さらに、振動板１１に凹部を設けることで、本発明に係るフレキシブルステレオスピーカは、振動板１１における電界強度を一定として、振動板１１を等しく振動させることができる。特に、金属と比較して低い導電率のエラストマーを左チャンネル電極１２及び右チャンネル電極１３として用いる場合に効果的である。
【００８３】
なお、図８では、Ｔ２をＴ１より厚く、かつ、Ｔ１をＴ３より厚くしたが、振動板１１は、Ｔ１とＴ３とを同じ厚さとして、振動板１１の中央部分（Ｔ２の位置）のみをＴ１及びＴ３より厚くしても良い（不図示）。この場合も、本発明に係るフレキシブルステレオスピーカは、前記と同様に、左チャンネル電極１２の振動波と右チャンネル電極１３の振動波との干渉を低減させることができる。
【図面の簡単な説明】
【００８４】
【図１】本発明の第１実施形態に係るフレキシブルステレオスピーカの概略構成図である。
【図２】図１のフレキシブルステレオスピーカの側面図である。
【図３】図１の左チャンネル櫛型フィルタ及び右チャンネル櫛型フィルタの特性を示すグラフであり、（ａ）は、左チャンネル櫛型フィルタの特性を示すグラフであり、（ｂ）は、右チャンネル櫛型フィルタの特性を示すグラフである。
【図４】本発明の第２実施形態に係るフレキシブルステレオスピーカの概略構成図である。
【図５】本発明の第３実施形態に係るフレキシブルステレオスピーカの概略構成図である。
【図６】図５のフレキシブルステレオスピーカの側面図である。
【図７】図５のローパスフィルタの特性を示すグラフである。
【図８】本発明の第１実施形態に係るフレキシブルステレオスピーカの変形例を示す側面図である。
【符号の説明】
【００８５】
１      フレキシブルステレオスピーカ
１Ｂ    フレキシブルステレオスピーカ
１Ｃ    フレキシブルステレオスピーカ
１１    振動板
１２    左チャンネル電極
１２ａ  左チャンネル電極
１２ｂ  左チャンネル電極
１３    右チャンネル電極
１３ａ  右チャンネル電極
１３ｂ  右チャンネル電極
１４    基板
１５    導線
１５ａ  導線
１５ｂ  導線
１５ｃ  導線
１５ｄ  導線
１５ｅ  導線
１５ｆ  導線
１６    低音チャンネル電極
１６ａ  低音チャンネル電極
１６ｂ  低音チャンネル電極
２０    制御手段
２１    左チャンネル櫛型フィルタ
２２    右チャンネル櫛型フィルタ
３０    制御手段
３１    左チャンネル駆動信号生成手段
３２    右チャンネル駆動信号生成手段
４０    制御手段
４１    信号加算手段
４２    ローパスフィルタ
【図１】
0005175612.tif 000002
【図２】
0005175612.tif 000003
【図３】
0005175612.tif 000004
【図４】
0005175612.tif 000005
【図５】
0005175612.tif 000006
【図６】
0005175612.tif 000007
【図７】
0005175612.tif 000008
【図８】
0005175612.tif 000009